(57)【要約】【課題】鎖式化合物または環式化合物を含むような複雑化した揮発性有機化合物においても、外部に排気される塗装乾燥炉排ガスのような揮発性有機化合物中のホルムアルデヒドを確実にしかも少量のエネルギーで連続的に測定し、一定基準値以下のホルムアルデヒドに処理することができるホルムアルデヒド濃度測定方法及びホルムアルデヒド処理装置を提供すること。【解決手段】制御装置６は、揮発性有機化合物測定装置５の分光測定装置における測定した特定の波長領域の吸収ピーク値及びホルムアルデヒド濃度演算式に基づき揮発性有機化合物中のホルムアルデヒドの濃度を算出し、算出したホルムアルデヒドの濃度に対応して揮発性有機化合物処理装置４及び換気装置３を作動し、ホルムアルデヒドを水及び二酸化炭素に分解し一定値付近以下のホルムアルデヒドを排気するように制御することを特徴とする。【選択図】図２
2006010500.tif 000002
【特許請求の範囲】
【請求項１】
揮発性有機化合物中のホルムアルデヒドを水及び二酸化炭素に分解する揮発性有機化合物処理装置と、
前記揮発性有機化合物処理装置の処理前または処理後の前記揮発性有機化合物における２６６０ｃｍ-1から２８４０ｃｍ-1までの全体或いは一部の波長領域の吸収スペクトルを測定する単数または複数の分光測定装置を備える揮発性有機化合物測定装置と、
揮発性有機化合物を排気する換気装置と、
前記揮発性有機化合物処理装置、前記揮発性有機化合物測定装置及び前記換気装置を制御する制御装置とを備え、
前記制御装置は、前記分光測定装置により測定した吸収スペクトルピーク値及びホルムアルデヒド濃度演算式に基づき前記ホルムアルデヒドの濃度を算出する演算手段と、算出した前記ホルムアルデヒドの濃度に対応して前記揮発性有機化合物処理装置及び前記換気装置を作動し、前記ホルムアルデヒドを水及び二酸化炭素に分解して一定値以下のホルムアルデヒドを排気するように制御する処理手段とを備えることを特徴とするホルムアルデヒド処理装置。
【請求項２】
前記揮発性有機化合物測定装置は、前記分光測定装置の他に、少なくとも、単数または複数のガスクロマト測定装置、または、単数または複数の液体クロマト測定装置を備えることを特徴とする請求項１に記載のホルムアルデヒド処理装置。
【請求項３】
前記揮発性有機化合物処理装置は、電子線照射処理装置、活性炭処理装置、光触媒処理装置または微生物酵素触媒処理装置の少なくともいずれか一つを備えることを特徴とする請求項１または請求項２に記載のホルムアルデヒド処理装置。
【請求項４】
前記揮発性有機化合物を２６６０ｃｍ-1から２８４０ｃｍ-1までの全体或いは一部の波長領域の前記揮発性有機化合物の吸収スペクトルを測定し、前記吸収スペクトルピーク値及び前記ホルムアルデヒド濃度演算式に基づき、前記揮発性有機化合物中の前記ホルムアルデヒド濃度を算出するホルムアルデヒド濃度測定方法。
【発明の詳細な説明】
【技術分野】
【０００１】
本発明は、ホルムアルデヒド処理装置及びホルムアルデヒド濃度測定方法に係り、特に揮発性有機化合物中のホルムアルデヒド処理装置及びホルムアルデヒド濃度測定方法に関するものである。
【背景技術】
【０００２】
揮発性有機化合物は、揮発しやすく塗装原料や接着材を溶解しやすい点から、自動車の板金塗装塗料、壁紙や床の接着剤などに広く使用されている。この揮発性有機化合物の中でも、ホルムアルデヒド（ＨＣＨＯ）は、安価な上、水や他の有機溶剤と混合することができるとともに多種多様な有機化合物を溶解することができることから、溶媒として一般的に用いられている。
【０００３】
このホルムアルデヒドは、空気中での濃度が１ｐｐｍ程度では臭気程度であるが、２ｐｐｍになると目やのどなどの粘膜に刺激を与え、３ｐｐｍを超えると目やのどなどの粘膜に激痛を生じさせる急性障害を引き起こす。このため、このホルムアルデヒドを用いた仕事に従事する作業員の安全管理として、厚生労働省は、作業場所のホルムアルデヒド濃度の安全基準値を０．０８ｐｐｍ以下として作業現場の喚起を十分にするよう指導を行っており（９７年）、ＷＨＯにおいても同様の指針が出されている。
【０００４】
さらに、近年、シックハウス症候群となる原因化学物質の一つとしてホルムアルデヒドが挙げられており、体内においてホルムアルデヒドを含む原因化学物質がある感応性の一定の閾値を越えることによって原因化学物質に過敏となり、シックハウス症候群になるといわれている。
【０００５】
よって、作業現場内で仕事に従事する作業員のホルムアルデヒド被爆量を少なくする必要がある一方で、従来のように作業現場内の滞留するホルムアルデヒドを含む揮発性有機化合物である排ガスを単に外部に排気することは、周辺の大気を汚染し、第三者がホルムアルデヒドに被爆する恐れがある。このことから、ホルムアルデヒドは大気汚染防止法の有害大気汚染物質の優先取組み物質に指定されている。
【０００６】
このため、特にホルムアルデヒドが空気中に高濃度になる作業現場では、排気を十分にするだけではなく、作業現場で生じる揮発性有機化合物中のホルムアルデヒド濃度を測定する測定装置及びホルムアルデヒドを無害な水及び二酸化炭素に処理する処理装置を通して安全性の高い排ガスを外部に排気する必要がある。つまり、正確にホルムアルデヒド濃度を適宜測定し、この測定結果に基づいて効率よくホルムアルデヒドを処理して無害なものにすることが重要となってくる。
【０００７】
ここで、ホルムアルデヒド濃度を測定するものとしては、ホルムアルデヒドチェック紙、ホルムアルデヒド定電位電解センサ、ホルムアルデヒドガス検出管検出器、ガスクロマト測定装置などが用いられている。ホルムアルデヒドチェック紙及びホルムアルデヒドガス検出管検出器は、空気中のホルムアルデヒドと反応することによって色などが変化してホルムアルデヒドを検出またはホルムアルデヒド濃度を測定する。また、ホルムアルデヒド定電位電解センサは、アルデヒド類を選択的に吸着させ他の揮発性有機化合物を吸着させないＤＮＰＨフィルタとアルデヒド類及び他の揮発性有機化合物を吸着させないガラス繊維フィルタとを用いてその差によってホルムアルデヒド濃度を測定する。
【０００８】
また、引用文献１に示すように、連続的に長時間、ホルムアルデヒド濃度を測定するために、フーリエ変換−赤外線吸収スペクトル装置の分光測定装置を用い、複数のホルムアルデヒドにおける特定の波長領域の吸収スペクトルのピークの高さとこれらに対応する谷の高さとの差に基づいて相対吸光度の和からホルムアルデヒドの濃度を算出する測定方法が提案されている。
【特許文献１】特許第２６４９６６７号公報
【発明の開示】
【発明が解決しようとする課題】
【０００９】
しかしながら、作業現場の空気中または排ガス中のホルムアルデヒドを確認する上で、ホルムアルデヒドチェック紙及びホルムアルデヒドガス検出管検出器は、簡便であるが、安全管理者が、適宜、ホルムアルデヒドを検査する必要があり、連続的にホルムアルデヒドの濃度を測定することが困難であるという問題がある。ホルムアルデヒド定電位電解センサは、連続的に１日以上測定するときにはホルムアルデヒド濃度測定の精度を維持するためにアルデヒド類が吸着したＤＮＰＨフィルタの交換をする必要があり、長時間、ホルムアルデヒドの濃度を測定することが困難であるという問題がある。
【００１０】
また、塗装乾燥炉排ガス中の揮発性有機化合物は、ホルムアルデヒドを数４０％、１−ブタノール、酢酸イソブチルなどの鎖式化合物を約１０％、さらにベンゼン、トルエンなどの環式化合物を約５０％を含んでおり、これらの構成比率は塗装作業をする都度大きく変動している。このように、構成比率が大きく変動する塗装乾燥炉排ガスのような揮発性有機化合物においては、分光測定装置によって得られる塗装乾燥炉ガスの吸収スペクトルは各揮発性有機化合物が複雑に複合しており、吸収スペクトルのデータ結果から実際にどの揮発性有機化合物がどの程度の割合で含まれているかを直ちに判断することは困難である。従って、構成比率が大きく変動するような塗装乾燥炉などでの排ガス中の揮発性有機化合物を分光測定装置で測定し、得られた揮発性有機化合物の吸収スペクトルから、ホルムアルデヒドにおける選択した複数の波長領域の吸収スペクトルのピークの高さとこれらに対応する谷の高さとの差に基づいて相対吸光度の和から精度よくホルムアルデヒドの濃度を測定することは困難であるという問題がある。
【００１１】
本発明は、前記した点に鑑みてなされたものであり、１−ブタノール、酢酸イソブチルなどの鎖式化合物またはベンゼン、トルエンなどの環式化合物を含む揮発性有機化合物においても、確実に連続的にホルムアルデヒドの濃度の測定を行うことができるとともに、外部に排気される塗装乾燥炉排ガスのような揮発性有機化合物中のホルムアルデヒドを確実にしかも少量のエネルギーで連続的に測定し、安全性の高い一定値以下のホルムアルデヒドに処理することができるホルムアルデヒド処理装置及びホルムアルデヒド濃度測定方法を提供することを目的とする。
【課題を解決するための手段】
【００１２】
上述の問題を解決するためには、揮発性有機化合物中のホルムアルデヒドを水及び二酸化炭素に分解する揮発性有機化合物処理装置と、前記揮発性有機化合物処理装置の処理前または処理後の前記揮発性有機化合物における２６６０ｃｍ-1から２８４０ｃｍ-1までの全体或いは一部の波長領域の吸収スペクトルを測定する単数または複数の分光測定装置を備える揮発性有機化合物測定装置と、揮発性有機化合物を排気する換気装置と、前記揮発性有機化合物処理装置、前記揮発性有機化合物測定装置及び前記換気装置を制御する制御装置とを備え、前記制御装置は、前記分光測定装置により測定した吸収スペクトルピーク値及びホルムアルデヒド濃度演算式に基づき前記ホルムアルデヒドの濃度を算出する演算手段と、算出した前記ホルムアルデヒドの濃度に対応して前記揮発性有機化合物処理装置及び前記換気装置を作動し、前記ホルムアルデヒドを水及び二酸化炭素に分解して一定値以下のホルムアルデヒドを排気するように制御する処理手段とを備えることを特徴とする。
【００１３】
この請求項１に記載の発明によれば、前記ホルムアルデヒド処理装置は、前記揮発性有機化合物測定装置によって、正確な前記揮発性有機化合物中のホルムアルデヒドの濃度を測定でき、この測定結果から算出した前記ホルムアルデヒドの濃度に基づいて制御装置が、前記揮発性有機化合物処理装置及び前記換気装置を作動して前記ホルムアルデヒドを水及び二酸化炭素に分解し一定値以下のホルムアルデヒドを排気するように制御することができる。
【００１４】
請求項２に記載の発明は、請求項１に記載の前記ホルムアルデヒド処理装置において、前記揮発性有機化合物測定装置は、前記分光測定装置の他に、少なくとも、単数または複数のガスクロマト測定装置、または、単数または複数の液体クロマト測定装置を備えることを特徴とする。
【００１５】
請求項２に記載の発明によれば、前記ホルムアルデヒド処理装置は、前記分光測定装置の他に、前記ガスクロマト測定装置または前記液体クロマト測定装置を備えることによって、より確実に塗装乾燥炉排ガスなどの前記揮発性有機化合物中の前記ホルムアルデヒド濃度を測定することができる。
【００１６】
請求項３に記載の発明は、請求項１または請求項２に記載の前記ホルムアルデヒド処理装置において、前記揮発性有機化合物処理装置は、電子線照射処理装置、活性炭処理装置、光触媒処理装置または微生物酵素触媒処理装置の少なくともいずれか一つを備えることを特徴とする。
【００１７】
請求項３に記載の発明によれば、前記揮発性有機化合物処理装置で前記有機化合物を処理することによって、前記揮発性有機化合物中の前記ホルムアルデヒドを効率よく、水、二酸化炭素に分解することができる。
【００１８】
請求項４に記載の発明によれば、ホルムアルデヒド濃度測定方法において、前記揮発性有機化合物を２６６０ｃｍ-1から２８４０ｃｍ-1までの全体或いは一部の波長領域の前記揮発性有機化合物の吸収スペクトルを測定し、前記吸収スペクトルピーク値及び前記ホルムアルデヒド濃度演算式に基づき、前記揮発性有機化合物中の前記ホルムアルデヒド濃度を算出する。
【００１９】
この請求項４に記載の発明によれば、ホルムアルデヒド濃度測定方法において、前記特定の吸収スペクトル及び前記吸収スペクトルピーク値に基づいて、前記揮発性有機化合物中に含まれる前記ホルムアルデヒド濃度を連続的に正確に算出することができる。
【発明の効果】
【００２０】
請求項１に記載の発明によれば、分光測定装置によって複数の揮発性有機化合物の一つであるホルムアルデヒドの濃度を連続的にかつ少量のエネルギーで正確に測定するとともに、制御装置によって、測定データから正確で連続的にホルムアルデヒドを算出し、算出されたホルムアルデヒド濃度から塗装乾燥炉排ガス中のホルムアルデヒドを揮発性有機化合物処理装置によって効率よく無害な水及び二酸化炭素に処理し、ホルムアルデヒドの安全性の高い一定値以下して揮発性有機化合物を外部へ排気することができるという効果を奏する。
【００２１】
請求項２に記載の発明によれば、分光測定装置の他に、少なくとも、ガスクロマト測定装置または液体クロマト測定装置を備えることによって、揮発性有機化合物中のホルムアルデヒドの濃度を正確に測定するとともに他の揮発性有機化合物の影響に対応する補正をし、正確なホルムアルデヒドの濃度のデータに基づき制御装置の制御によってホルムアルデヒドの処理を効率よく行うことができるという効果を奏する。
【００２２】
請求項３に記載の発明によれば、前記揮発性有機化合物処理装置は、電子線照射処理装置、活性炭フィルタ処理装置、光触媒処理装置または微生物酵素触媒処理装置によって、塗装乾燥炉排ガスのような揮発性有機化合物中のホルムアルデヒドを効率よく無害な水及び二酸化炭素に処理することができるという効果を奏する。
【００２３】
請求項４に記載の発明によれば、ホルムアルデヒド濃度測定方法において、２６６０ｃｍ-1から２８４０ｃｍ-1までの全体或いは一部の波長領域の吸収スペクトルピーク値に基づき、前記揮発性有機化合物中に含まれる前記ホルムアルデヒド濃度を連続的に正確に算出することができるので、塗装乾燥炉排ガスのようにホルムアルデヒド以外の揮発性有機化合物を多種多様に含む場合でも、ホルムアルデヒド以外の揮発性有機化合物の影響を少なくしてホルムアルデヒド濃度を測定することができるという効果を奏する。
【発明を実施するための最良の形態】
【００２４】
以下、本発明に係るホルムアルデヒド処理装置の実施形態について図１及び図２を参照して説明する。ただし、発明は図示例に限定されない。
【００２５】
図１に示すように、ホルムアルデヒド処理装置１には、被塗装体を塗装し乾燥する塗装乾燥炉２が備えられており、この塗装乾燥炉２の両側には、塗装乾燥炉２で発生した揮発性有機化合物が含まれる塗装乾燥炉排ガスを排気する２つの換気装置３が備えられている。それぞれの換気装置３には、換気装置３によって排気された塗装乾燥炉ガスが流入する排ガス配管７が接続されており、この排ガス配管７は中途で一つに統合されて外部に通じている。
【００２６】
排ガス配管７の中途部には、塗装乾燥炉排ガス中のホルムアルデヒドを処理する揮発性有機化合物処理装置４が備えられており、排ガス配管７の揮発性有機化合物処理装置４に対する上流及び下流には、揮発性有機化合物処理装置４による処理前及び処理後の塗装乾燥炉排ガスが流入する測定配管８が接続されている。この測定配管８の中途部には、測定配管８から流入する塗装乾燥炉排ガス中のホルムアルデヒドの濃度を測定するための揮発性有機化合物測定装置５が備えられている。
【００２７】
塗装乾燥炉２の下方中央には、被塗装体を載置するための支持台が備えられており、この支持台の両側には塗膜した被塗装体表面を乾燥させるため塗装乾燥炉２の乾燥温度を制御する温度制御装置と、塗装時に生じる塗装乾燥炉排ガスを外部へ排気するための換気装置３とが備えられている。
【００２８】
この塗装乾燥炉２としては、乾燥温度と乾燥時間を制御しながら適切な乾燥条件を調節することができるバッチ式乾燥炉、コンベアを組み込んで被塗装体に塗装を連続処理することができるトンネル型乾燥炉、バーナ及び換気扇を支持台の下に配置しコンベアで排気するコンベア式山型乾燥炉などが適用可能である。
【００２９】
揮発性有機化合物処理装置４には、換気装置３によって塗装乾燥炉２から排気された塗装乾燥炉排ガス中のホルムアルデヒドを一定値以下のホルムアルデヒド濃度になるようにホルムアルデヒドの処理を行う電子線照射処理装置が備えられている。
【００３０】
電子線照射処理装置の内部には、塗装乾燥炉排ガスが流入する配管が備えられており、この配管の一部には、電子線を透過する透過窓が備えられている。この透過窓に接する部分には、チャンバー室が備えられており、このチャンバー室には、チャンバー室の電子照射効率を高めるため高真空状態にするポンプ装置が接続されている。チャンパー室の内部の中央には、配管を通過するホルムアルデヒドに対して透過窓を介して電子線照射によって水と二酸化炭素に分解する電子線加速装置及び直流高圧電流発生装置が備えられており、電子線加速装置の内部の中央には、電子線の発生源であるフィラメントが備えられている。
【００３１】
揮発性有機化合物測定装置５には、揮発性有機化合物の中に含まれるホルムアルデヒドの濃度を連続的に正確に測定する分光測定装置と、揮発性有機化合物の構成物質の同定及び構成比率を一定時間間隔で測定する液体クロマト測定装置とが備えられている。
【００３２】
分光測定装置には、平行な赤外ビームを発する光源と、ビームスプリッタ及びミラーを含む干渉機構と、干渉機構を介して光源からの赤外線が照射されるセルと、半導体検出器などからなる検出器とが備えられている。このセルの側面には、測定配管８から塗装乾燥炉排ガスが流入する配管及び流出する配管が接続されている。
分光測定装置は、塗装乾燥炉排ガスの赤外吸収スペクトルを示す９００ｃｍ-1から７７００ｃｍ-1までの波長領域を測定し、特にホルムアルデヒドの特徴的な赤外吸収スペクトルを示す２６６０ｃｍ-1から２８４０ｃｍ-1までの波長領域を測定する。分光測定装置としては、鎖式化合物及び環式化合物の他の揮発性有機化合物の影響が少なく、ホルムアルデヒドの特徴的な吸収スペクトルを感度よく測定することができるフーリエ変換−赤外吸収スペクトル測定装置が好ましい。
【００３３】
セルの材料は、光源の光の強度を効率よく透過できるものであればよく、石英セル、ガラスセル、プラスチックセルが適用可能である。セルの光路長は、ホルムアルデヒド濃度を安定的に測定するために１０ｍ以上が好ましいが、塗料乾燥炉排ガス中のホルムアルデヒド濃度を精度よく測定することができれば、セルの光路長は１０ｍより小さくともよい。
【００３４】
液体クロマト測定装置には、塗装乾燥炉排ガスを採取し溶媒に溶解したホルムアルデヒドを分離するシリカゲル系などのカラム及びこの分離したホルムアルデヒドを直接または試薬反応などによる間接的に検出することができる紫外線検出器などの液体クロマト検出器が備えられている。このとき、溶媒に溶解したホルムアルデヒドは、測定配管８から塗装乾燥炉排ガスを採取し、ホルムアルデヒドと反応する担体を用いてホルムアルデヒドを抽出したものである。一定時間ごとに塗装乾燥炉排ガスからホルムアルデヒドを抽出し、注入することのできる自動サンプル採取注入装置が備えられていることが好ましい。また、液体クロマト測定装置は、ホルムアルデヒドの他に、１−ブタノール、酢酸イソブチルなどの鎖式化合物及びベンゼン、トルエンなどの環式化合物など塗装乾燥炉排ガス中の揮発性有機化合物の構成成分及び構成比率を測定することができるものが好ましい。
【００３５】
図２に示すように、塗装乾燥炉２、換気装置３、揮発性有機化合物処理装置４及び揮発性有機化合物測定装置５には、これらを制御するための制御装置６が接続されている。さらに制御装置５には、揮発性有機化合物測定装置６、塗装乾燥炉２、換気装置３及び揮発性有機化合物処理装置４を制御する演算処理手段１２と、キーボードなどの入力手段１０と、モニタなどの出力手段１１と、メモリなどの記憶手段１５とが備えられている。
【００３６】
演算処理手段１２には、塗装乾燥炉排ガス中における揮発性有機化合物を測定し、測定データからホルムアルデヒド濃度を算出する測定演算手段１３と、算出したホルムアルデヒド濃度に基づき換気装置３及び揮発性有機化合物処理装置４を作動させ、塗装乾燥炉排ガス中のホルムアルデヒドを一定値以下に処理するため制御を行う処理手段１４とが含まれている。
【００３７】
演算手段１３は、分光測定装置によって測定した吸収スペクトルから特定の波長領域を自動または手動で選択し、選択した特定の波長領域におけるベースラインからの吸収スペクトルのピークの高さ（以下、吸収スペクトルピーク値とする。）を算出し、予め記憶手段１５に記憶されているホルムアルデヒド濃度演算式である下記の式１に基づき吸収スペクトルピーク値からホルムアルデヒド濃度を算出するようになっている。
Ｙ＝393.45Ｘ×（１／Ｌ）×ｆ−4.324  …（１）
【００３８】
式１は、ランバート・ベールの法則による試料濃度と吸光度との関係であって、Ｙはホルムアルデヒド濃度（ｐｐｍ）、Ｘは光路長１０ｍで測定した塗装乾燥炉排ガスの２７６５ｃｍ-1の波長領域における吸収スペクトルピーク値（吸光度）である。Ｌは光路長の補正値であってＬ＝（測定に用いた光路長（ｍ）／１０ｍ）、ｆは吸収スペクトルピーク値の補正値であって標準ホルムアルデヒドから求めるｆ＝（２７６５ｃｍ-1のときの吸収スペクトルピーク値／２６６０ｃｍ-1から２８４０ｃｍ-1までのある波長領域の吸収スペクトルピーク値）である。
【００３９】
このとき、式１の傾き及び切片は、下記に示す実施例から２７６５ｃｍ-1の波長領域における光路長１０ｍであって吸収スペクトルピーク値及びホルムアルデヒド濃度から最小二乗法によって求められたものであり、光路長１０ｍ、２７６５ｃｍ-1の波長領域における吸収スペクトルピーク値（吸光度）の場合には、（１／Ｌ）＝１、ｆ＝１となる。
また、例えば、２６８４ｃｍ-1のときの吸収スペクトルピーク値が０．０１、光路長２０ｍの場合には、Ｌ＝（２０／１０）、ｆ＝４．７１４、Ｘ＝０．０１となり、ホルムアルデヒド濃度は９．２７（ｐｐｍ）である。
【００４０】
このとき選択する特定の波長領域は、ホルムアルデヒドが、他の揮発性有機化合物の吸収の影響を受けにくい２６６０ｃｍ-1から２８４０ｃｍ-1の波長領域でピークが認められる波長が好ましい。特に吸収スペクトルのベースラインからの吸収スペクトルのピークの高さである吸収スペクトルピーク値を算出しやすい２８３３ｃｍ-1、２８２１ｃｍ-1、２８０１ｃｍ-1、２７７９ｃｍ-1、２７６５ｃｍ-1、２７４８ｃｍ-1、２７１０ｃｍ-1、２７０２ｃｍ-1、２６８４ｃｍ-1、２６７５ｃｍ-1、２６６７ｃｍ-1及び２６５１ｃｍ-1付近がより好ましい。さらに、他の揮発性有機化合物の吸収の影響を受けずに吸収スペクトルピーク値から相関係数の高い式１を求めることができる２７６５ｃｍ-1付近が最も好ましい。
【００４１】
また、この特定の波長領域は、２７６５ｃｍ-1付近の吸収スペクトルピーク値を自動的に選択するように記憶手段１５に記憶されているが、キーボードなどからの入力手段１０によっても２７６５ｃｍ-1以外を選択することができるようになっている。
【００４２】
また、演算手段１３は、液体クロマト装置による測定データ及び予め記憶されている標準ホルムアルデヒド検量線によりホルムアルデヒド濃度を算出するようになっている。
さらに、演算手段１３は、液体クロマト測定装置によって塗装乾燥炉排ガス中のホルムアルデヒド、その他の揮発性有機化合物の各構成成分及び構成比率の測定データが得られた場合には、予め記憶手段１５に記憶されているこれら揮発性有機化合物の標準物質の吸収スペクトルの測定データに基づき揮発性有機化合物の各構成成分及び構成比率から赤外吸収スペクトルの合成を行うようになっている。合成した赤外吸収スペクトルを合成補正ホルムアルデヒド吸収スペクトルピーク値とし、上記の式１によりホルムアルデヒド濃度を算出した後、予め記憶されているホルムアルデヒド濃度演算式の下記の式２に基づき、補正ホルムアルデヒド濃度（Ｙｃ）を算出するようになっている。
Ｙｃ＝Ｙ×（Ｈｓ／Ｈａ）  …（２）
【００４３】
このとき、Ｙｃは補正ホルムアルデヒド濃度（ｐｐｍ）、Ｙは数式１で算出されたホルムアルデヒド濃度（ｐｐｍ）、Ｈｓは標準ホルムアルデヒドの吸収スペクトルピーク値（吸光度）、Ｈａは合成補正ホルムアルデヒド吸収スペクトルピーク値（吸光度）である。標準ホルムアルデヒドの吸収スペクトルピーク値及び合成補正ホルムアルデヒド吸収スペクトルピーク値は、標準ホルムアルデヒド及び塗装乾燥炉排ガス１ｐｐｍあたりの吸光度であり、波長領域はともに２７６５ｃｍ-1が好ましい。
【００４４】
また、演算手段１３は、分光測定装置による２７６５ｃｍ-1の吸収スペクトルピーク値と高速液体クロマト測定装置によるホルムアルデヒドの濃度との測定データが３つ以上得られた場合には、これらの測定データに基づき最小二乗法によって式３の傾きａ及び切片ｂを求める。求められた数式の相関係数０．９以上の場合には、新たに傾きａ及び切片ｂが求められたホルムアルデヒド濃度演算式に基づいて分光測定装置によって得られた吸収スペクトルピーク値からホルムアルデヒド濃度を算出するようになっている。このとき、入力手段１０によって特定の波長領域を選択することができる。
Ｙ＝ａＸ×(１／Ｌ）＋ｂ  …（３）
【００４５】
このとき、式３は、ランバート・ベールの法則による試料濃度と吸光度との関係であって、Ｙはホルムアルデヒド濃度（ｐｐｍ）、Ｘは塗装乾燥炉排ガスの特定の波長領域の吸収スペクトルの吸収スペクトルピーク値（吸光度）、ａ、ｂは、このときの吸収スペクトルピーク値と高速液体クロマト測定装置によるホルムアルデヒドの濃度との関係から最小二乗法によって求められる傾き、切片、Ｌは（測定に用いた光路長（ｍ）／１０ｍ）で、光路長１０ｍのとき(１／Ｌ）＝１である。
【００４６】
また、入力手段１０により吸収スペクトルピーク値を選択するとともに、選択した吸収スペクトルピーク値に隣接する谷の波長領域を選択することによって、演算手段１３は、予め記憶されている下記の式４に基づき差補正ホルムアルデヒド吸収スペクトルピーク値を算出し、算出した差補正ホルムアルデヒド吸収スペクトルピーク値と高速液体クロマト測定装置によるホルムアルデヒドの濃度とにより最小二乗法によって上記の式３の傾きａ及び切片ｂを求め、求められたホルムアルデヒド濃度演算式に基づきホルムアルデヒド濃度を算出するようになっている。
Ｈｐ＝（Ｘｏ−Ｖｎ）  …（４）
このとき、Ｈｐは差補正ホルムアルデヒド吸収スペクトルピーク値（吸光度）、Ｘｏは選択した吸収スペクトルピーク値（吸光度）、Ｖｎは選択した隣接する谷の波長領域におけるベースラインからの高さ(吸光度）である。
【００４７】
処理手段１４は、揮発性有機化合物処理装置４で処理する前のホルムアルデヒド濃度に対応して、ホルムアルデヒド濃度の設定範囲以下、設定範囲内、設定範囲以上最大処理能力、最大処理能力以上の場合によって換気装置３及び揮発性有機化合物処理装置４の作動を制御するようになっている。
【００４８】
処理手段１４は、ホルムアルデヒド濃度が設定範囲以下の場合には、揮発性有機化合物処理装置４の稼動率を抑えるまたは部分的に休止させるようになっている。
処理手段１４は、ホルムアルデヒド濃度が設定範囲以内の場合には、揮発性有機化合物処理装置４の稼働率を通常稼動させ、ホルムアルデヒド濃度が設定範囲以上であって最大処理能力以下の場合には、揮発性有機化合物処理装置４の稼働率を上げるまたは予備として備えられている揮発性有機化合物処理装置４の一部を作動させるようになっている。
処理手段１４は、ホルムアルデヒド濃度が最大処理能力以上の場合には、揮発性有機化合物処理装置４の処理能力を超えるため、換気装置３を止め、外部に塗装乾燥炉排ガスが排気されないようになっている。
【００４９】
このときの、設定範囲は、揮発性有機化合物処理装置の処理能力により決定されるが、塗装乾燥炉排ガス中の急激なホルムアルデヒド濃度の上昇が分光測定装置で認められるときに対応することができるようにするため、設定範囲の最大値は揮発性有機化合物処理装置のホルムアルデヒド最大処理能力の７０％から９０％までが好ましい。
【００５０】
また、処理手段１４は、揮発性有機化合物処理装置４の処理した後のホルムアルデヒド濃度に対応して、ホルムアルデヒド濃度の一定値付近以下、一定値付近から一定値範囲以下、一定値以上によって換気装置３及び揮発性有機化合物処理装置４の作動を制御するようになっている。
【００５１】
処理手段１４は、ホルムアルデヒド濃度が一定値付近以下の場合には、換気装置３を作動し、外部に安全性の高い塗装乾燥炉排ガスを排気するようになっている。
処理手段１４は、ホルムアルデヒド濃度が一定値付近から一定値範囲以下の場合には、揮発性有機化合物処理装置４の稼働率を上げるとともに揮発性有機化合物処理装置４の処理能力が低下していることをモニタなどの出力手段１１にて知らせるようになっている。
処理手段１４は、ホルムアルデヒド濃度が一定値以上の場合には、換気装置３を停止し、外部に塗装乾燥炉排ガスを排気しないようになっている。
【００５２】
このとき、一定値は、例えば、１ｐｐｍ、０．５ｐｐｍ、０．１ｐｐｍなどと入力手段１０によりユーザの任意によって決めることができ、または、予め記憶手段１５に記憶されていてもよい。また、一定値付近も、入力手段１０によりユーザの任意によって決めることができるが、揮発性有機化合物処理装置４の処理能力低下などによる一定値を超えるホルムアルデヒドの外部への排気を防ぐため、一定値に０．８から０．９をかけた数値が好ましい。
【００５３】
この制御装置５におけるホルムアルデヒド濃度の測定及びホルムアルデヒドの処理は、記憶手段１５のメモリに記憶された演算処理プログラム、演算プログラム及び処理プログラムにより実行されるものであってもよいし、ハートウエアにより実行されるものであってもよい。
記憶手段１５は演算処理手段１２、演算手段１３及び処理手段１４により実行される各種プログラムを記憶するとともに、これらプログラム実行時に必要な各種データを記憶する。
【００５４】
次に、本実施形態の作用について説明する。
塗装乾燥炉２で、被塗装体を乾燥し、換気装置３によってホルムアルデヒドを含む揮発性有機化合物の塗装乾燥炉排ガスを排気配管７に排気する。排気した塗装乾燥炉排ガスは、揮発性有機化合物処理装置４によって処理される前に、排ガス配管７の揮発性有機化合物処理装置４に対する上流の測定配管８に流入して揮発性有機化合物測定装置５によってホルムアルデヒドを測定される。この測定データは制御装置５における演算処理手段１２の演算手段１３に送られて、演算手段１３は記憶手段１５に記憶されているプログラムに基づいてホルムアルデヒドの濃度を算出する。このとき、予め記憶手段１５に記憶されている式２に基づきホルムアルデヒド濃度を算出する。
【００５５】
ここで、ホルムアルデヒド濃度測定方法について説明する。
揮発性有機化合物測定装置５の分光測定装置は、揮発性有機化合物が測定配管８に接続するセルを通ることによって、２６６０ｃｍ-1から２８４０ｃｍ-1の波長領域にある吸収スペクトルを測定する。
制御装置６の演算処理手段１２における演算手段１３は、測定した吸収スペクトルのうち、２７６５ｃｍ-1の吸収スペクトルピーク値を算出し、上記の式１により揮発性有機化合物処理装置の処理前及び処理後ホルムアルデヒド濃度を算出する。
【００５６】
また、入力手段１０によって特定の波長領域２８３３ｃｍ-1、２８２１ｃｍ-1、２８０１ｃｍ-1、２７７９ｃｍ-1、２７４８ｃｍ-1、２７１０ｃｍ-1、２７０２ｃｍ-1、２６８４ｃｍ-1、２６７５ｃｍ-1、２６６７ｃｍ-1及び２６５１ｃｍ-1のいずれか一つを選択する場合には、演算手段１３は上記の式１のｆの変更によりホルムアルデヒド濃度を算出する。また、光路長が１０ｍでないの場合には、入力手段１０によって上記の式１のＬを入力し、演算手段１３は上記の式１のＬの変更によりホルムアルデヒド濃度を算出する。
【００５７】
また、入力手段１０によって液体クロマト測定装置による合成補正吸収スペクトルピーク値を基準とするように入力した場合には、演算手段１３は、合成補正吸収スペクトルピーク値を算出し、上記の式１及び式２に基づき補正ホルムアルデヒド濃度（Ｙｃ）を算出する。
【００５８】
また、分光測定装置による２７６５ｃｍ-1の吸収スペクトルピーク値と高速液体クロマト測定装置によるホルムアルデヒドの濃度との測定データが３つ以上の場合には、演算手段１３は、これらの測定データに基づき最小二乗法によって上記の式３の傾きａ及び切片ｂを求め、ホルムアルデヒド濃度演算式を求める。求められたホルムアルデヒド濃度演算式の相関係数０．９以上の場合には、上記の式１に代えて新たに求められたホルムアルデヒド濃度演算式に基づき、分光測定装置によって得られた吸収スペクトルピーク値からホルムアルデヒド濃度を算出する。このとき、入力手段１０によって特定の波長領域を選択することができる。
【００５９】
また、入力手段１０によって特定の波長領域の谷の波長領域を入力した場合には、上記の式４に基づき差補正吸収スペクトルピーク値を算出し、差補正吸収スペクトルピーク値によって上記の式２及び式３に基づきホルムアルデヒド濃度を算出する。
【００６０】
演算手段１３で算出したホルムアルデヒド濃度のデータは制御装置５における演算処理手段１２の処理手段１４に送られて、処理手段１４は記憶手段１５に記憶されているプログラムに基づいて揮発性有機化合物処理装置４におけるホルムアルデヒド処理能力の稼働率を判断し、揮発性有機化合物処理装置４を稼動させる。ホルムアルデヒド濃度が設定範囲以下の場合は、そのまま稼動し、設定範囲以上最大処理能力以下の場合は、稼働率を上げるかさらに不足する場合は予備部分を稼動する。最大処理能力以上の場合は、換気装置２を停止させて外部への塗装乾燥炉排ガスの排気を停止する。
揮発性有機化合物処理装置４によってホルムアルデヒドを水、二酸化炭素などに分解して排気配管７に排気する。
【００６１】
さらに排気した塗装乾燥炉排ガスは、排ガス配管７の揮発性有機化合物処理装置４に対する下流の測定配管８に流入して揮発性有機化合物測定装置５によってホルムアルデヒドの濃度を測定される。測定データは制御装置５に送られて上記と同様に演算手段１３によってホルムアルデヒドの濃度を算出し、ホルムアルデヒド濃度のデータは制御装置５における演算処理手段１２の処理手段１４に送られて、処理手段１４は記憶手段１５のプラグラムに基づいて換気装置３を制御する。
算出したホルムアルデヒド濃度が一定値付近以下の場合は、そのまま排気し、一定値付近から一定値以下の場合は、揮発性有機化合物処理装置４の稼働率を上げるとともに揮発性有機化合物処理装置４の処理能力が低下していることをモニタなどの出力手段にて知らせる。ホルムアルデヒド濃度が一定値以上の場合は、外部にホルムアルデヒドが排気されないように換気装置３の稼動を停止する。
【００６２】
以上のことより、分光測定装置によって２６６０ｃｍ-1から２８４０ｃｍ-1までの全体或いは一部の波長領域を測定し、制御装置の演算手段によって測定した特定の波長領域の吸収スペクトルピーク値及びホルムアルデヒド濃度演算式に基づき前記揮発性有機化合物中に含まれる前記ホルムアルデヒド濃度を算出することができるので、ホルムアルデヒド以外の他の揮発性有機化合物の影響を少なくして、正確なホルムアルデヒドの濃度を連続的に測定することができる。
従って、このホルムアルデヒド濃度測定法を用いるホルムアルデヒド処理装置は、塗装乾燥炉から生じる乾燥炉排ガス中のホルムアルデヒドを揮発性有機化合物測定装置で連続的に測定データを得、制御装置によって、測定データの特定の波長領域の吸収スペクトルピーク値及び及びホルムアルデヒド濃度演算式に基づき正確なホルムアルデヒド濃度を算出することができる。さらに、制御装置によって、算出されたホルムアルデヒド濃度によって塗装乾燥炉、換気装置及び揮発性有機化合物処理装置の装置全体を効率よく稼動するように制御し、ホルムアルデヒドの安全性の高い一定値付近以下の塗装乾燥炉排ガスを外部に排気することができる。
【００６３】
なお、揮発性有機化合物処理装置は、ホルムアルデヒドのみならず、揮発性有機化合物を無害な物質に水や二酸化炭素などに分解することもできる。また、揮発性有機化合物処理装置は、揮発性有機化合物のホルムアルデヒドを一定値以下に処理することができれば電子線照射処理装置装置に代えて光触媒処理装置、活性炭フィルタ処理装置、微生物処理装置のいずれかであってもよく、電子線照射処理装置装置、光触媒処理装置、活性炭フィルタ処理装置、微生物処理装置の複数以上の併設でもよい。
【００６４】
光触媒処理装置には、紫外線などの光照射装置と、通過するホルムアルデヒドをこの紫外線などを照射することによって水、二酸化炭素などに分解することのできる二酸化チタン膜などを表面に被膜した光触媒担持体とが備えられている。また、活性炭フィルタ処理装置には、ホルムアルデヒドを多孔質の内部に吸着させるための活性炭フィルタが多層状に備えられている。微生物処理装置には、ホルムアルデヒドを水、二酸化炭素などに分解する酵素を生産する微生物を固定した固定支持体が備えられている。
【００６５】
また、液体クロマト測定装置に代えて、ガスクロマト測定装置でもよい。ガスクロマト測定装置には、各揮発性有機化合物の同定及び定量のできるカラムと、カラム温度制御と、ＦＩＤ検出器などのガスクロマト検出器と、パックドまたはキャピラリカラムと、移動相であるガスを貯蔵するボンベとが備えられている。ガスクロマト測定装置には、測定配管８から自動的に排ガスを取り込み、一定時間ごとに自動測定することのできる自動サンプル採取装置が備えられていることが好ましい。ガスクロマト測定装置の測定間隔は、分光測定装置におけるホルムアルデヒド濃度が上昇するとき、または、１時間間隔の一定時間ごとであることが好ましい。ホルムアルデヒド濃度を測定するカラム及び検出器は、ホルムアルデヒドの同定及び定量のできる市販のものであればよい。
【００６６】
また、換気装置３は、塗装乾燥炉２に生ずる揮発性有機化合物の塗装乾燥炉排ガスを外部に排気することができるのであれば、排ガス配管７のいずれの場所に設置してもよく、またホルムアルデヒド処理装置１に複数設置してもよい。
【実施例】
【００６７】
〈実施例1〉
実施例１の試料は、塗装乾燥炉中の塗装乾燥炉排ガスを採取し、吸収スペクトル測定装置であるＦＴ−ＩＲガス分析計（株式会社堀場製作所製、製品名ＦＴ−７３０Ｇ）を用いて測定を行った。このとき、用いた光路長は１０ｍであった。
下記に示す標準ホルムアルデヒドの吸収スペクトルの特徴的なピークである２８３３ｃｍ-1、２８２１ｃｍ-1、２８０１ｃｍ-1、２７７９ｃｍ-1、２７６５ｃｍ-1、２７４８ｃｍ-1、２７１０ｃｍ-1、２７０２ｃｍ-1、２６８４ｃｍ-1、２６７５ｃｍ-1、２６６７ｃｍ-1及び２６５１ｃｍ-1が、３つ以上の揮発性有機化合物が含まれている塗装乾燥炉排ガスの試料である実施例１の吸収スペクトルのピークでも明確に認められ、これらの波長領域の吸光度である吸収ピーク値によってホルムアルデヒドの濃度を求めることが考えられた。
【００６８】
〈実施例２から実施例１１〉
実施例２から実施例１１の試料は、塗装乾燥炉中の塗装乾燥炉排ガスを異なった時間で１１検体採取したものである。
実施例２から実施例１１までについて、上記のＦＴ−ＩＲガス分析計を用いて吸収スペクトルの測定を行った。さらにホルムアルデヒドと反応する試薬を含有した担体に通して吸着させた後アセトニトリルで抽出し、抽出物中のホルムアルデヒドについて液体クロマト測定装置である高速液体クロマトグラフィー（株式会社日立作所製、製品名：Ｌ−７０００ＨＰＬＣシステム）を用いてホルムアルデヒド濃度の測定を行った。
【００６９】
図４に示すように、吸収スペクトルピーク値は、ベースラインからの高さにより求めた。
表１に、２７６５ｃｍ-1における吸収スペクトルピーク値（吸光度）と高速液体クロマトグラフィ−によるホルムアルデヒド濃度（ｐｐｍ）との関係を示した。
【表１】
2006010500.tif 000003
【００７０】
表１より最小二乗法によって上記の式３に基づき、下記の式５を求め、このときの相関係数はｒ2＝０．９４であり、良好な正の相関関係が得られたことが認められた。下記の式５に基づき、２７６５ｃｍ-1における吸収スペクトルピーク値、光路長１０ｍを基準として、上記の式１を求めた。
Ｙ＝393.45Ｘ−4.3244  …（５）
【００７１】
また、図５に示すように、吸収スペクトルピーク値は、ベースラインが安定していないときには、（吸収スペクトルピーク値−特定波長領域の隣接する谷の高さ）である上記の式４によっても良好な相関関係を求めることができた。
【００７２】
ここで、塗装乾燥炉排ガス中に含まれる含有率の高い揮発性有機化合物であるエチルベンゼン、1−ブタノール、３−エチルトルエン、メタキシレン、１，２，４−トリメチルベンゼン、１，２，３−トリメチルベンゼン及びホルムアルデヒドについてそれぞれの吸収スペクトル測定を行った。図６から図１２にそれぞれの吸収スペクトルの結果を示し、図１３に示すように、これらの吸収スペクトルを重ねた。
【００７３】
ホルムアルデヒドは、２６６０ｃｍ-1から２８４０ｃｍ-1の範囲においては、環式化合物及び鎖式化合物であるエチルベンゼン、1−ブタノール、３−エチルトルエン、メタキシレン、１，２，４−トリメチルベンゼン、１，２，３−トリメチルベンゼンの吸収スペクトルとの重なりは少なく、これら環式化合物及び鎖式化合物の吸収スペクトルの影響を受けにくいことが認められた。特に、吸収スペクトルピーク値が求めやすいピークは、２８３３ｃｍ-1、２８２１ｃｍ-1、２８０１ｃｍ-1、２７７９ｃｍ-1、２７６５ｃｍ-1、２７４８ｃｍ-1、２７１０ｃｍ-1、２７０２ｃｍ-1、２６８４ｃｍ-1、２６７５ｃｍ-1、２６６７ｃｍ-1及び２６５１ｃｍ-1であることが認められた。上記の式１におけるそれぞれのｆは、０．６８７５、０．６８７５、０．６３４６、０．９０４１、１、１、３．６６６７、３．８８２３、４．７１４３、７．３３３３、６．６及び９．４２８６であった。
従って、２６６０ｃｍ-1から２８４０ｃｍ-1であって特定の吸収スペクトルピーク値であるが認められるときには、上述のようにいずれか一つの特定の吸収スペクトルピーク値からホルムアルデヒド濃度を精度よく測定を行うことができると考えられた。
【図面の簡単な説明】
【００７４】
【図１】本発明に係るホルムアルデヒド処理装置の概念図である。
【図２】本発明に係る制御装置の概念図である。
【図３】塗装乾燥炉排ガス中の揮発性有機化合物における赤外吸収スペクトルの図である。
【図４】塗装乾燥炉排ガス中の揮発性有機化合物における赤外吸収スペクトルの図である。
【図５】塗装乾燥炉排ガス中の揮発性有機化合物における赤外吸収スペクトルの図である。
【図６】ホルムアルデヒドの赤外吸収スペクトルの図である。
【図７】エチルベンゼンの赤外吸収スペクトルの図である。
【図８】１，２，４−トリメチルベンゼンの赤外吸収スペクトルの図である。
【図９】１−ブタノールの赤外吸収スペクトルの図である。
【図１０】３−エチルトルエンの赤外吸収スペクトルの図である。
【図１１】メタキシレンの赤外吸収スペクトルの図である。
【図１２】１，２，３−トリメチルベンゼンの赤外吸収スペクトルの図である。
【図１３】１，２，４−トリメチルベンゼン、エチルベンゼン、1−ブタノール、３−エチルトルエン、メタキシレン、１，２，３−トリメチルベンゼン及びホルムアルデヒドの赤外吸収スペクトルの重ね合わせた図である。
【符号の説明】
【００７５】
４  揮発性有機化合物処理装置
５  揮発性有機化合物測定装置
６  制御装置
１２  演算処理手段
１３  演算手段
１４  処理手段
【図１】
2006010500.tif 000004
【図２】
2006010500.tif 000005
【図３】
2006010500.tif 000006
【図４】
2006010500.tif 000007
【図５】
2006010500.tif 000008
【図６】
2006010500.tif 000009
【図７】
2006010500.tif 000010
【図８】
2006010500.tif 000011
【図９】
2006010500.tif 000012
【図１０】
2006010500.tif 000013
【図１１】
2006010500.tif 000014
【図１２】
2006010500.tif 000015
【図１３】
2006010500.tif 000016